(57)【要約】  本発明は、家具本体からまたは家庭用機器、とくに食洗機の有用な空間から棚を引き出して持ち上げる家具または家庭用機器の棚（３４）のためのスライド回転機構に関する。このスライド回転機構は、家具本体または有用な空間の複数の側壁のうちの少なくとも１つの側壁に第１の端部で複数の側壁の面に対して平行に回転可能に固定される第１のピボットアーム（１５）と、家具本体または有用な空間の複数の側壁のうちの少なくとも１つの側壁に第１の端部で上述の複数の側壁の面に対して平行に回転可能に固定される第２のピボットアーム（１６）と、複数の側壁の面に対して平行に回転移動することができるようにかつ家具本体または有用な空間の内部の下側位置から家具本体または有用な空間の少なくとも部分的に外部にまで持ち上げる上側位置まで回転移動することができるように第１のピボットアーム及び第２のピボットアーム（１５、１６）の第２の端部に固定されるガイドレール（２２）と、ガイドレール（２２）内を直線的に移動することができかつ棚（３４）が固定される少なくとも１つの走行レール（１）とを備えており、第１のピボットアーム及び第２のピボットアーム（１５、１６）は互いに所定の距離だけ離れかつ互いに平行に配置されており、スライド回転機構は、持ち上げ終了位置及び引き下げ終了位置におけるスライド回転機構の回転運動を阻止するための係止機構を備えており、この係止機構は、ガイドレール（２２）と第１のピボットアーム及び第２のピボットアーム（１５、１６）のうちの一方のピボットアームとに接続され、走行レール（１）に固定される活動体（６）により起動されうるように構成され、さらに、ウェブ（１８）を有しており、ウェブ（１８）は、第１のピボットアーム（１５、１６）に回転可能かつ弾性的に保持され、ガイドレール（２２）の方向に向けて突出するピン（１９）を有しており、ピン（１９）は、ガイドレール（２２）に固定される案内部材（１７）に沿って引き下げ終了位置を確定する係止位置から少なくとも持ち上げ終了位置を確定する係止位置まで案内されうるように構成されており、走行レール（１）に固定される活動体（６）は湾曲ガイドを有し、この湾曲ガイドにより、棚（３４）を持ち上げる間及び引き下げる間、ピン（１９）を引き下げ終了位置を確定する係止位置から持ち上げ終了位置を確定する係止位置まで案内することまたその逆を行うことができる。また、本発明は、スライド回転機構を備える家具及びスライド回転機構を備える家庭用機器にさらに関する。【選択図】図１
2017522080.tif 000002
【特許請求の範囲】
【請求項１】
家具本体または家庭用機器、とくに食洗機の有用な空間から棚を引き出して持ち上げるための家具または家庭用機器の棚（３４）のためのスライド回転機構であって、
−前記家具本体または前記有用な空間の複数の側壁のうちの少なくとも１つの側壁に第１の端部で前記複数の側壁の面に対して平行に回転可能に固定される第１のピボットアーム（１５）と、
−前記家具本体または前記有用な空間の複数の側壁のうちの少なくとも１つの側壁に第１の端部で前記複数の側壁の面に対して平行に回転可能に固定される第２のピボットアーム（１６）と、
−前記家具本体または前記有用な空間の内部の下側位置から前記家具本体または前記有用な空間の少なくとも部分的に外部にまで持ち上げる上側位置まで回転しうるように、前記第１のピボットアーム及び前記第２のピボットアーム（１５、１６）の第２の端部に前記複数の側壁の面に対して平行に回転可能に固定されるガイドレール（２２）と、
−前記ガイドレール（２２）内を直線的に変位可能でありかつ前記棚（３４）が固定される少なくとも１つの走行レール（１）とを備えており、
−前記第１のピボットアーム及び前記第２のピボットアーム（１５、１６）が互いに所定の距離だけ離れかつ互いに平行に配置されており、
−前記スライド回転機構が係止機構を備え、該係止機構が、前記ガイドレール（２２）と前記第１のピボットアーム及び前記第２のピボットアーム（１５、１６）のうちの一方のピボットアームとに接続され、持ち上げ終了位置及び引き下げ終了位置における前記スライド回転機構の回転移動を阻止するよう、前記走行レール（１）に固定される活動体（６）によって起動されうるように構成されており、
−前記係止機構には、前記ガイドレール（２２）の方向に向けて突出するピン（１９）を有するウェブ（１８）が設けられ、該ウェブが前記第１のピボットアーム（１５、１６）に弾性的かつ回転可能に保持され、前記ピン（１９）が、前記ガイドレール（２２）に固定される案内部材（１７）に沿って前記引き下げ終了位置を確定する係止位置から少なくとも前記持ち上げ終了位置を確定する係止位置まで案内されうるように構成される、スライド回転機構において、
−前記走行レール（１）に固定される前記活動体（６）が湾曲ガイドを有し、該湾曲ガイドにより、前記棚（３４）の持ち上げの間及び引き下げの間、前記ピン（１９）が前記引き下げ終了位置を確定する係止位置から前記持ち上げ終了位置を確定する係止位置及びその逆方向に向けて案内されうるように構成されることを特徴とする、スライド回転機構。
【請求項２】
前記案内部材（１７）は前記ピン（１９）が２つの前記係止位置でそれぞれ休止するための係止溝（２３、２４）を有し、これら２つの係止溝（２３、２４）がピン（１９）を前記２つの係止位置のうちの一方から前記２つの係止位置のうちの第２の係止位置へ案内しうる前記案内部材（１７）の案内路（２８）の範囲を定めるように構成されることを特徴とする、請求項１に記載のスライド回転機構。
【請求項３】
前記持ち上げ終了位置への回転移動により前記係止機構を自動的に係止するよう前記湾曲ガイドを形成するように構成されることを特徴とする、請求項１または２に記載のスライド回転機構。
【請求項４】
前記引き出し方向（Ａ）とは反対の方向に向けて押し込むことにより前記係止機構を解除しうるよう前記湾曲ガイドを形成するように構成されることを特徴とする、請求項１、２または３に記載のスライド回転機構。
【請求項５】
前記湾曲ガイドが前記活動体（６）のキャビティ（３６）の範囲を定める内側縁部（３７、３８）に形成され、該内側縁部が前記キャビティの中に前記ピン（１９）を案内しうる入口領域（３９）を有するように構成されることを特徴とする、請求項４に記載のスライド回転機構。
【請求項６】
前記入口領域（３９）の領域には、前記走行レール（１）の方向に向けて下方に延びる第１のリミットストップ（７）が配置され、該第１のリミットストップにより、前記走行レール（１）を引き出し方向に向けて引き出す時、前記第１のピボットアーム及び前記第２のピボットアーム（１５、１６）の回転を阻止する前記第１の係止溝（２３）内の位置から前記ピン（１９）を動かして出し、それに続いて前記第１のピボットアーム及び前記第２のピボットアーム（１５、１６）を回転させる間、前記ピン（１９）を前記リミットストップ（７）に沿って前記キャビティ（３６）の中へと案内しうるように構成されることを特徴とする、請求項５に記載のスライド回転機構。
【請求項７】
前記第１のピボットアーム及び前記第２のピボットアーム（１５、１６）の回転の間、前記ピン（１９）を前記活動体（６）の前記キャビティ（３６）の範囲を定める前記内側縁部（３７、３８）のうちのいずれにも休止させないように構成されることを特徴とする、請求項５乃至６のうちのいずれか一項に記載のスライド回転機構。
【請求項８】
前記キャビティ（３６）が引き出し側の縁部に前記入口領域（３９）から垂直方向内側縁部まで斜めに立ち上がる内側縁部（３７）を有し、該内側縁部（３７）により、前記走行レール（１）を前記引き出し方向（Ａ）とは反対方向に向けて押し込むことで前記ピン（１９）を前記第１のピボットアーム及び前記第２のピボットアーム（１５、１６）の回転を阻止する第２の係止溝（２４）内の位置から動かして出しうるように構成されることを特徴とする、請求項５乃至７のうちのいずれか一項に記載のスライド回転機構。
【請求項９】
前記走行レール（１）を前記引き出し方向（Ａ）に向けて引き出して移動させることによって前記持ち上げ終了位置を確定する係止位置から前記係止機構を解除しうるよう前記湾曲ガイドを形成するように構成されることを特徴とする、請求項１、２または３に記載のスライド回転機構。
【請求項１０】
前記湾曲ガイドをカルジオイド（４０）として形成するように構成されることを特徴とする、請求項９に記載のスライド回転機構。
【請求項１１】
前記引き出し方向（Ａ）の先端に位置する前記ガイドレール（２２）の端部に前記走行レール（１）の移動を制限する終端ストップ（５３）を形成するように構成されることを特徴とする、請求項１乃至１０のうちのいずれか一項に記載のスライド回転機構。
【請求項１２】
家具本体と、該家具本体にスライド回転機構を介して固定される少なくとも１つの棚とを備える家具であって、前記スライド回転機構により、前記少なくとも１つの棚を前記家具本体から引き出して持ち上げうる、家具において、
請求項１乃至１１のうちの１つ以上に従って前記スライド回転機構を形成するように構成されることを特徴とする、家具。
【請求項１３】
スライド回転機構により有用な空間、とくに食洗空間または調理空間の内側に固定される少なくとも１つの棚（３４）を備える家庭用機器、とくに食洗機または調理用機器であって、前記スライド回転機構により、前記有用な空間から前記棚（３４）を引き出して持ち上げうる、家庭用機器において、
請求項１乃至１２のうちの１つ以上に従って前記スライド回転機構を形成するように構成されることを特徴とする、家庭用機器。
【発明の詳細な説明】
【技術分野】
【０００１】
本発明は、請求項１に従って家具本体からまたは家庭用機器、とくに食洗機の有用な空間から棚を引き出して持ち上げる家具または家庭用機器の棚のためのスライド回転機構に関するものである。また、本発明は、スライド回転機構を備える家具及び家庭用機器にさらに関するものである。
【背景技術】
【０００２】
このようなスライド回転機構は、とくに家具または家庭用機器、とくに食洗機もしくは調理機器の使い易さを高めるために設置される。このような家具または家庭用機器に設置される棚は、スライド回転機構を用いることにより、下側位置から引き出して上方に向けて回転移動させることにより、ユーザが簡単に品物を棚に載せることができるまたは棚に置かれた品物を取り出すことができる上側位置へと移動させることができるようになる。
一般的なスライド回転機構についてはたとえば国際公開２０１４／０３  ３０９２号公報に開示されている。
国際公開２０１４／０３  ３０９２号公報に記載のスライド回転機構はその実用的な価値が実証されている。
【発明の概要】
【発明が解決しようとする課題】
【０００３】
棚が重荷重に晒される場合に問題が生じる。とくに荷積みや荷下ろしを容易に行うために棚を持ち上げた位置である上側位置にスライド回転機構を常に確実に係止させることができないという問題がある。
これは、スライド回転機構の係止を改善したスライド回転機構を提供する本発明の目的に繋がる。
この目的は、請求項１の構成要素を備える家具または家庭用機器の棚のためのスライド回転機構によって達成される。
【課題を解決するための手段】
【０００４】
本発明にかかるスライド回転機構は、家具本体または有用な空間の複数の側壁のうちの少なくとも１つに当該側壁の面に対して平行に第１の端部により回転可能に固定される第１のピボットアームと、同様な方法で回転可能に固定される第２のピボットアームとを備えている。これらの２つのピボットアームは互いに平行かつ互いに一定距離だけ離れて配置されている。
【０００５】
これら２つのピボットアームの第２の端部には、ガイドレールが、家具本体または有用な空間の中の下側位置から家具本体または有用な空間の少なくとも部分的に外部の持ち上げ終了位置である上側位置までガイドレールを回転移動することができるように、複数の側壁の面に対して平行に回転可能に固定されている。また、このガイドレール内で直線的に移動することができる走行レールには棚が固定されている。
【０００６】
かかるスライド回転機構には、ガイドレールと２つのピボットアームのうちの１つとに配置されかつ走行レールに固定される活動体によって起動可能な係止機構が設けられている。当該係止機構は、持ち上げ終了位置及び引き下げ終了位置においてスライド回転機構が回転移動するのを阻止するために用いられる。
【０００７】
係止機構はウェブを有し、当該ウェブは、ガイドレールの方向に突出するピンを有し、第１のピボットアームに弾性的かつ回転可能に保持され、当該ピンは、ガイドレールに固定される案内部材に沿って引き下げ終了位置を確定する係止位置から少なくとも持ち上げ終了位置を確定する係止位置まで案内されうるようになっている。
【０００８】
走行レールに固定される活動体は、棚を持ち上げる間及び棚を引き下げる間、引き下げ終了位置を確定する係止位置から持ち上げ終了位置を確定する係止位置までピンを案内することができる湾曲ガイドをさらに有している。
【０００９】
活動体に設けられるこのような湾曲ガイドは、スライド回転機構の回転が行われた後の係止機構による係止が担保されることを確実なものとするためのものである。
本発明の有利な実施形態は従属請求項の主題事項である。
【００１０】
本発明のある有利な実施形態によれば、湾曲ガイドは、持ち上げ終了位置への回転移動により係止機構を自動的に係止させるようにまた引き出し方向とは反対の方向に向けた挿入移動により係止機構を解除することができるように形成されるようになっている。
このことにより、棚、ひいては走行レールを意図的に挿入させることによってのみ解除を行うことができるということが担保される。
【００１１】
好ましいさらなる実施形態によれば、湾曲ガイドは、活動体のキャビティの範囲を定める内側縁部に形成され、ピンをキャビティの中へと案内することができる入口として開口部を有するようになっている。このように、湾曲ガイドは、活動体の内部に収容されるようになっているので外から損傷されないように保護されている。
【００１２】
ある好ましい実施形態によれば、案内部材はピンを収容する係止位置として働く複数の係止溝を有し、これらの係止溝は、案内部材の案内路の範囲を定め、この案内路に沿って、ピンは、複数の係止位置のうちの１つの係止位置から複数の係止位置のうちの第２の係止位置へと案内されうるようになっている。
【００１３】
スライド回転機構を第１の係止位置から解除する目的のため、走行レールの方向に延びる第１のリミットストップが活動体の入口である開口部の領域に配置されており、この第１のリミットストップにより、走行レールを引き出し方向に向けて延伸する際、２つのピボットアームの回転を阻止する位置及び第１の係止溝からピンを移動させることができ、またそれに続いて２つのピボットアームを回転させる際、ピンを第１のリミットストップに沿ってキャビティの中へと案内することができるようになる。
【００１４】
第１のリミットストップによりスライド回転機構を下側の係止位置からの簡単に解除することができるようになるので、棚をほぼ完全に延伸された状態で上方に向けて回転移動させることができる。
好ましいさらなる実施形態によれば、湾曲ガイドは、２つのピボットアームの回転の間、ピンが活動体のキャビティの範囲を定める内側縁部のうちのいずれにおいても静止しないように形成される。この場合、ピンの案内は案内部材の案内路に沿って行われる。
【００１５】
好ましいさらなる実施形態では、キャビティは引き出し側縁部に傾斜を有し、この傾斜は入口領域から垂直方向縁部に向かう上り傾斜となっており、この傾斜によって、走行レールを引き出し方向とは反対の方向に向けて押し込むことでピンを２つのピボットアームの回転を阻止する第２の係止溝内の位置から動かして出すことができるようになる。
【００１６】
その結果、棚、ひいては走行レールを意図的に僅かに挿入することによりピンを上り傾斜に沿って上方に向けて押し上げることができるので、第２の係止溝から出して動かすことができるようになる。これにより、スライド回転機構の回転移動が再び解除され、棚を下方に向けて回転移動させることができるようになる。
【００１７】
本発明の他の実施形態によれば、走行レールを引き出し方向に向けて引き出して移動させることより上側係止位置から係止機構を解除することができるよう湾曲ガイドを形成するようになっている。湾曲ガイドはカルジオイドとして形成されることが好ましい。
有利なさらなる実施形態によれば、走行レールをガイドレールから出し過ぎないように引き出し方向の先端にあるガイドレールの端部に走行レールの移動を制限する終端ストップが形成されるようになっている。
【図面の簡単な説明】
【００１８】
以下、本発明の実施形態を添付の図面を参照して詳細に説明する。
【図１】完全に引き下げられた位置にある本発明のある実施形態にかかるスライド回転機構を示す斜視図である。
【図２】図１においてＩＩで示されている領域を詳細に示す図である。
【図３】走行レールをガイドレールから完全に引き出した後でスライド回転機構を持ち上げる前の状態にある図１に記載のスライド回転機構を示す斜視図である。
【図４】図３においてＩＶで示されている領域を詳細に示す図である。
【図５】ピボットアームの回転を解除した位置にあるスライド回転機構を示す斜視図である。
【図６】図５においてＶＩで示されている部分を詳細に示す図である。
【図７】回転運動の際のスライド回転機構を示す図５に対応する斜視図である。
【図８】回転運動の際のスライド回転機構を示す図６に対応する斜視図であって、図７においてＶＩＩＩで示されている部分を詳細に示す図である。
【図９】持ち上げ終了位置に達する直前までさらに回転して進んだ状態にあるスライド回転機構を示す図７に対応する斜視図である。
【図１０】持ち上げ終了位置に達する直前までさらに回転して進んだ状態にあるスライド回転機構を示す図７に対応する斜視図であって、図９においてＸで示された部分を詳細に示す図である。
【図１１】第２の係止位置に係止された状態にある図１０に対応するスライド回転機構を示す図である。
【図１２】スライド回転機構の上側係止位置からの解除の際のスライド回転機構を示す図９に対応する図である。
【図１３】スライド回転機構の上側係止位置からの解除の際のスライド回転機構を示す図１０に対応する図であって、図１２においてＸＩＩＩで示された部分を詳細に示す図である。
【図１４】完全に引き下げられた位置にある他の活動体を備えた本発明にかかるスライド回転機構の他の実施形態を示す斜視図である。
【図１５ａ】スライド回転機構を持ち上げ及び引き下げシーケンスを説明するためにさまざまな位置にある図１４に記載のスライド回転機構を示す斜視図である。
【図１５ｂ】スライド回転機構を持ち上げ及び引き下げシーケンスを説明するためにさまざまな位置にある図１４に記載のスライド回転機構を示す斜視図である。
【図１５ｃ】スライド回転機構を持ち上げ及び引き下げシーケンスを説明するためにさまざまな位置にある図１４に記載のスライド回転機構を示す斜視図である。
【図１５ｄ】スライド回転機構を持ち上げ及び引き下げシーケンスを説明するためにさまざまな位置にある図１４に記載のスライド回転機構を示す斜視図である。
【図１５ｅ】スライド回転機構を持ち上げ及び引き下げシーケンスを説明するためにさまざまな位置にある図１４に記載のスライド回転機構を示す斜視図である。
【図１５ｆ】スライド回転機構を持ち上げ及び引き下げシーケンスを説明するためにさまざまな位置にある図１４に記載のスライド回転機構を示す斜視図である。
【図１５ｇ】スライド回転機構を持ち上げ及び引き下げシーケンスを説明するためにさまざまな位置にある図１４に記載のスライド回転機構を示す斜視図である。
【発明を実施するための形態】
【００１９】
以下の図面の記載では、上側、下側、左側、右側、前、後などの如き用語は、それぞれ、図面において一例として選択されているスライド回転機構、ピボットアーム、ガイドレール、走行レール、活動体などの図及び位置に関連するものである。したがって、これらの用語は限定要素として解釈されるべきではない。すなわち、これらの呼び方は、異なる動作位置では変わってしまうこともあれば、また、鏡面対称構造などに起因して変わってしまうこともある。
【００２０】
図１〜図１３には、本発明にかかるスライド回転機構の実施形態が示されており、持ち上げ工程時及び引き下げ工程時におけるスライド回転機構の例示的な位置が示されている。
例えば図１に示されているように、スライド回転機構は、互いに平行かつ間隔をおいて配置される２つのピボットアーム１５、１６を備えている。
【００２１】
２つのピボットアーム１５、１６は、第１の端部で側壁固定部材１４に回転可能な接続ジョイントを介して（ｖｉａ  ａ  ｐｉｖｏｔ  ｊｏｉｎｔ）に固定される。好ましくは、側壁固定部材１４は、家具または食洗機の如き家庭用機器の側壁に取り付けられるようになっている。家庭用機器の内側壁も側壁として考えられている。
また、２つのピボットアーム１５、１６の第１の端部を家具または家庭用機器の側壁に直接固定することが考えられてもよい。
【００２２】
２つのピボットアーム１５、１６の第１の端部から間隔をおいて位置する第２の端部を引き出しガイドのガイドレール２２に回転可能に固定するようにしてもよい。
ガイドレール２２に加えて、引き出しガイドはガイドレール２２内において直線的に移動可能な走行レール１を少なくとも１つ有している。
【００２３】
好ましくは、走行レール１はガイドレール２２にボールベアリングを介して結合されるようになっている。ガイドレール２２内の走行レール１の移動を制限するために、ガイドレールの終端ストップ５３が用いられる。終端ストップ５３はボールベアリングと相互作用するようになっている。また、他の形態の端部ストップをさまざまな固定部材または移動可能部材に設けることが考えられてもよい。引き出しガイドを延長するために、少なくとも１つのさらなる移動可能レールがガイドレール２２と走行レール１との間に配置されてもよい。
【００２４】
プラグ２が、引き出し方向Ａの先端にある走行レールの端部に配置され、走行レール１がガイドレール２２内を引き出し方向とは反対の方向に向けて移動するのを制限するために用いられるようになっていることが好ましい。
活動体６及び固定装置８は、走行レール１に固定され、棚３４をスライド回転機構に固定するようになっている。棚３４は、スライド回転機構に固定され、とくにラッチ機構により固定されるようになっていてもよい。
【００２５】
棚３４を活動体６及び固定装置８に固定することについての詳細は、上述の国際公開２０１４／０３  ３０９２号により詳細に記載されている。その内容は、スライド回転機構のさまざまな詳細事項について説明するために本出願に含まれるものとする。
図１にさらに示されているように、ガイドレール２２には減衰ユニット３０が配置されている。減衰ユニット３０は、棚３４が家具本体または家庭用機器の有用な空間の中の終了位置に引き下げられる際に活動体６によって起動されうるようになっている。
【００２６】
また、棚３４を家具本体または家庭用機器の有用な空間の中の終了位置に引き込むように構成されることが好ましい自己引込み装置または自己引込み装置と減衰装置とを組み合わせた装置を配置することが考えられてもよい。
スライド回転機構は係止機構をさらに備えている。係止機構は、ガイドレール２２と２つのピボットアーム１５、１６のうちの１つのピボットアームに配置され、走行レール１に固定される活動体６によって起動されうるようになっている。
【００２７】
係止機構は、スライド回転機構の持ち上げ終了位置及び引き下げ終了位置におけるスライド回転機構の回転移動を阻止するようになっている。
好ましくは、係止機構はウェブ１８を有し、ウェブ１８は、２つのピボットアーム１５、１６のうちの１つのピボットアームに回転可能かつ弾性的に保持され、ガイドレール２２の方向に突出するピン１９を有している。
【００２８】
好ましくは、ウェブ１８は、ピボットアーム１５に回転ピン２１を介して回転可能に保持されるようになっている。弾性的に保持するためにばね部材２０が用いられている。ばね部材２０は、一方の腕がウェブ１８に、他方の腕がピボットアーム１５に支えられるようになっている。
ピン１９は、案内部材１７と作用可能に接触するようになっている。図６に一例として示されている案内部材１７は、実質的に平板状の部材からなっており、２つの係止溝２３、２４により限定される案内路２８として形成される縁部を有している。
【００２９】
係止機構の係止位置とは、弾性的に保持されるウェブ１８に配置されるピン１９が２つの係止溝２３、２４のうちの１つの係止溝に休止する位置のことである。
図１及び図２には下側係止位置が示されている。
第１のピボットアーム１５は端部２５をさらに備え、該端部２５は第１のピボットアーム１５の長手方向の軸線に対して垂直に延びてピン１９を案内することに加え、ピン１９が通る案内溝２６を有している。
【００３０】
図３及び図４に示されているように、活動体６は第１のストップ７を有し、この第１のストップ７により、走行レール１を引き出し方向Ａに向けて引き出す際にピボットアーム１５、１６の回転を阻止するための第１の係止溝２３内の位置からピン１９を抜き出すことができるようになる。
図５及び図６に示されている走行レール１及び活動体６の位置ならびに図６に示されているピン１９の位置は、２つのピボットアーム１５、１６の回転が可能となる係止機構の解除位置を示している。
【００３１】
図７及び図８には、スライド回転機構が部分的に持ち上げられた位置が示されている。この位置では、走行レール１は先端方向に向けてガイドレール２２から完全に出されている状態にある。
図８に示されているように、ピン１９は、第１のストップ７により持ち上げられる行程では、活動体６内のキャビティ３６の入口領域３９を通って案内部材１７の案内路２８に沿って案内されるようになっている。図８にさらに詳細に示されているように、２つのピボットアーム１５、１６が回転する際、ピン１９は、活動体６のキャビティ３６の範囲を定める内側縁部３７、３８のうちのいずれの内側縁部にも支えられていない。
【００３２】
ピン１９が案内路２８の曲線に支えられているため、第１のピボットアーム１５に弾性的に保持されるウェブ１８は、ばね力に抗して第１のピボットアーム１５に対するアイドリング位置からそれている。
図９〜図１１には、２つのピボットアーム１５、１６がその上端位置に達しているスライド回転機構の位置が示されている。
【００３３】
図１０は、第２の係止溝２４の真上に位置するピン１９が示されている。第２の係止溝２４には、案内路２８に対向する側に、ピン１９が衝突する高い停止部３３が設けられていることが好ましい。
この位置では、ピン１９はウェブ１８のばね力のために第２の係止溝２４の中へと下方に向けて引き込まれるまたは押し込まれるようになっている。図１１に示されているような上側係止位置では、２つのピボットアーム１５、１６の回転が可能ではないので、この位置で、棚３４はその上側荷積み荷下ろし位置に達していることになる。
【００３４】
荷積み荷下ろしが完了した後で棚３４を家具本体または家庭用機器の有用な空間に再び戻す必要がある場合には、図１２及び図１３に示されているように、まず、棚３４、ひいては走行レール１を僅かに引き出し方向Ａとは反対の方向に向けて家具本体または家庭用機器の有用な空間の方へと押す必要がある。
この工程では、活動体６は、当該活動体６が引き出し方向Ａとは反対の方向に向けてさらに移動する際、垂直方向内側縁部３５向けて上方に傾斜しかつキャビティ３６の引き出し側の縁部に設けられる内側縁部３７でピン１９を押して当該ピン１９を第２の係止溝２４から外へと持ち上げるようになっている。
【００３５】
このことにより２つのピボット１５、１６の回転が再び可能となるので、棚３４、ひいてはスライド回転機構を再び下方に向けて移動させてピン１９を下側にある第１の係止溝２３の中へと押し戻すことができるようになる。このようにして、棚３４及び走行レール１を完全に家具本体の中または家庭用機器の有用な空間の中へと再び移動させることができるようになる。
【００３６】
図１４及び図１５ａ〜図１５ｇに示されている他の実施形態では、走行レール１を持ち上げ終了位置を確定する係止位置から引き出し方向Ａに向けて引き出して移動させることによって係止機構を解除することができるように湾曲ガイドを形成するようになっている。
この実施形態では、図１４に示されているように、活動体６にはカルジオイド４０として形成される湾曲ガイドが設けられるようになっていることが好ましい。活動体６のうちの上述のカルジオイド４０の真下の部分に第１のストップ７が一体的に取り付けられるようになっている。この第１のストップ７により、走行レール１を引き出し方向Ａに向けて引き出す際にピン１９を２つのピボットアーム１５、１６の回転を阻止する第１の係止溝２３内の位置から移動させることができるようになる。
【００３７】
図１５ａには、棚３４がまだ下側の引き下げ位置にあるものの家具本体（図示せず）または家庭用機器の有用な空間からは既に引き出し方向Ａに向けて引き出されているピン１９の係止解除位置が示されている。
それに続いて２つのピボットアーム１５、１６を上方に向けて回転すると、図１５ｂに示されているように、ピン１９は引き出し方向Ａに向かってカルジオイド４０の先端に位置する領域の中へと進んでいく。棚３４がその最大持ち上げ位置に達する水平位置まで２つのピボットアーム１５、１６を回転し続けると、ピン１９はカルジオイド４０の第１のカーブを通過して第１のピボットアーム１５に弾性的に保持されるウェブ１８により第２の係止溝２４内の係止位置に押し込まれ、ひいてはカルジオイド４０の中央の凹み４１の中へと押し込まれる。このようにして、棚３４はスライド回転機構の回転移動を阻止する持ち上げ位置に固定されるようになる。
【００３８】
荷積みや荷下ろしが完了した後に棚３４を回転移動により下側位置へと戻すために、棚３４が、走行レール１及び活動体６と一緒に引き出し方向Ａに向けて短い距離だけ移動させられる。
この行程では、ピン１９は、カルジオイド４０のうちの引き出し方向Ａに向けて高くなっている部分により第２の係止溝２４から押し出されるようになっている。ピン１９は、図１５ｆに示されているように、引き出し方向Ａに向かってカルジオイド４０の後端に位置する曲線領域へと移動する。
【００３９】
図１５ｇに示されているように、それに続いて棚３４を下方に向けて下側位置へと回転移動させると、ピン１９は再びカルジオイド４０の下側位置に達する。またそれに続いて棚３４、ひいては活動体６を引き出し方向Ａとは反対の方向に向けて挿入すると、係止ボルト１９が第１の係止溝２３の中に押し込まれて棚３４が上方に向けて回転移動しないように固定されることになる。
複数の側壁のうちの少なくとも一方にまたは側壁固定部材１４に持ち上げ及び／または引き下げ補助部材３１を設けて棚３４の持ち上げ移動及び引き下げ移動を補助するようになっている。また、持ち上げ及び／または引き下げ補助部材３１により２つのピボットアーム１５、１６の回転が補助される。
【００４０】
持ち上げ及び／または引き下げ補助部材３１は、側壁固定部材のピン２７に固定される引っ張りばねとして、または、一方では側壁に固定され他方で第２のピボットアーム１６に固定される引っ張りばねとして形成されることが好ましい。
２つのピボットアーム１５、１６の上端位置を越えてしまう２つのピボットアーム１５、１６の回転を阻止するために、第２のピボットアーム１６が上端位置に達すると当該第２のピボットアーム１６と衝突するようになっているリミットストップ３２が側壁固定部材１４に設けられるようになっていることが好ましい。
【符号の説明】
【００４１】
１  走行レール
２  プラグ
６  活動体
７  リミットストップ
８  固定装置
１４  側壁固定部材
１５  ピボットアーム
１６  ピボットアーム
１７  案内部材
１８  ウェブ
１９  ピン
２０  ばね部材
２１  回転ピン
２２  ガイドレール
２３  係止溝
２４  係止溝
２５  端部
２６  案内溝
２７  ピン
２８  案内路
３０  減衰ユニット
３１  持ち上げまたは引き下げ補助部材
３２  リミットストップ
３３  リミットストップ
３４  棚
３５  内側縁部
３６  キャビティ
３７  内側縁部
３８  内側縁部
３９  入口領域
４０  カルジオイド
４１  凹み
５３  終端ストップ
Ａ  引き出し方向
【図１】
2017522080.tif 000003
【図２】
2017522080.tif 000004
【図３】
2017522080.tif 000005
【図４】
2017522080.tif 000006
【図５】
2017522080.tif 000007
【図６】
2017522080.tif 000008
【図７】
2017522080.tif 000009
【図８】
2017522080.tif 000010
【図９】
2017522080.tif 000011
【図１０】
2017522080.tif 000012
【図１１】
2017522080.tif 000013
【図１２】
2017522080.tif 000014
【図１３】
2017522080.tif 000015
【図１４】
2017522080.tif 000016
【図１５ａ】
2017522080.tif 000017
【図１５ｂ】
2017522080.tif 000018
【図１５ｃ】
2017522080.tif 000019
【図１５ｄ】
2017522080.tif 000020
【図１５ｅ】
2017522080.tif 000021
【図１５ｆ】
2017522080.tif 000022
【図１５ｇ】
2017522080.tif 000023
【国際調査報告】
2017522080.tif 000024
2017522080.tif 000025
2017522080.tif 000026
2017522080.tif 000027